(57)【特許請求の範囲】
【請求項１】
読取対象のシンボルの光学的読取を行うための読取部と、
前記読取部により光学的に読み取られたシンボルの情報を含む各種情報を表示するためのディスプレイ部と、
前記ディスプレイ部に各種情報が表示された状態で各種の操作を行うための複数のキーが配置されたキー配置部と、を筐体に備える光学読取装置であって、
前記筐体は、
前記筐体の表面側に前記ディスプレイ部が設けられた表示部分と、
前記筐体の表面側に前記キー配置部が設けられ、前記筐体の長手方向と略直交する幅方向の外径が前記表示部分よりも幅狭に形成された把持部分と、
前記把持部分における前記筐体の背面側において軸芯が前記筐体の長手方向と略平行となるように収納された１本の円筒形二次電池セルを覆うとともに、当該１本の円筒形二次電池セルの円筒形状に沿った曲面を有し且つ前記幅方向の略中央で部分的に凸状に突出した曲面突出部分と、
前記曲面突出部分から前記筐体の長手方向に沿った位置に形成され、側面視において前記曲面突出部分よりも低い前記筐体の背面から前記曲面突出部分と同じ高さに又は前記曲面突出部分よりも高く突出させた形状を有し、前記読取部の読取面が該形状の先端側の傾斜面に面するように配置された第二突出部分と、を有し、
前記筐体の長手方向において、前記曲面突出部分の一部及び前記第二突出部分の頂部が前記ディスプレイ部と重なるように配置されてなることを特徴とする光学読取装置。
【請求項２】
前記読取部は、前記第二突出部分の内側に収納されていることを特徴とする請求項１に記載の光学読取装置。
【請求項３】
前記第二突出部分の内面と前記読取部との間に隙間を設けてなることを特徴とする請求項２に記載の光学読取装置。
【請求項４】
前記第二突出部分の内面と前記読取部の読取面との間に隙間を設けてなることを特徴とする請求項３に記載の光学読取装置。
【請求項５】
前記曲面突出部分を有するバッテリ蓋が、前記筐体の背面側に着脱自在に装着されることを特徴とする請求項１から４のいずれかに記載の光学読取装置。
【請求項６】
前記筐体は、前記筐体の表面側の第一ケースと、前記筐体の背面側の第二ケースとに分割されており、
前記第二ケースには、前記第二突出部分が形成されているとともに、前記曲面突出部分を有するバッテリ蓋が固定されることを特徴とする請求項１から４のいずれかに記載の光学読取装置。
【請求項７】
前記円筒形二次電池セル及び前記円筒形二次電池セルに接続された電池側回路基板を内部に収容し、前記円筒形二次電池セルの形状に応じた曲面部分を有する蒲鉾状のバッテリケースを備え、
前記筐体の把持部分を含む前記筐体の背面側に前記バッテリケースが収納された状態で、前記バッテリケースの一部が、前記ディスプレイ部と部分的に重なるように配置されていると共に、前記曲面突出部分が、前記バッテリケースの前記曲面部分を覆うように前記筐体の長手方向に沿って形成されていることを特徴とする請求項１から６のいずれかに記載の光学読取装置。
【発明の詳細な説明】
【技術分野】
【０００１】
本発明は、バーコードや二次元コードなどのシンボルを読み取ってデータの登録、照合が可能なハンディスキャナ、ハンディターミナル、業務用ＰＤＡ等の光学式情報読取装置に関する。
【背景技術】
【０００２】
今日、商品管理等の分野においてバーコード、二次元コード等様々なコードあるいは「シンボル」が利用されている。トレーサビリティ（traceability）が普及した今日においては、工場や物流拠点等に、バーコードリーダ又はコードリーダと称される光学情報読取装置を設置して、製品や産品にシンボル等を印刷又は刻印し（コード印字）、このコード印字の情報を光学情報読取装置で読み取るシステムが多くの業界で採用されている。このようなシンボルを読み取り、データの登録や照合を行うため、ハンディターミナルが利用されている。ハンディターミナルは、液晶ディスプレイ部（ＬＣＤ）等の表示部分やキーを配置している。また、モバイル利用が可能なように充電可能な二次電池を内蔵している（例えば特許文献１参照）。
【０００３】
このようなハンディターミナルは、店舗や倉庫で常時携行して長時間使用されるため、持ちやすさが要求される。そのため、小型軽量化に加え、把持し易い薄型化が求められている。このような薄型化を実現するために、内蔵する二次電池セルも携帯電話などと同様、円筒形電池よりも、スペース効率に優れた角型電池が好んで利用されている。
【０００４】
このため薄型のハンディターミナルの構成としては、図４２の断面図に示すように、ＬＣＤと角型電池を長手方向１直線上に配置する構成が一般的である。ユーザは、角型電池が内蔵された把持部分を握って、ＬＣＤを見ながら把持部分表面に設けられたキーを操作する。
【０００５】
このようなハンディターミナルにおいて、持ちやすさとキー操作性を更に高めようとすれば、ＬＣＤとキーの距離を縮めて、長手方向の長さをより短くすることが考えられる。しかしながら、ハンディターミナルの全長を短くしようとすると、角型電池をＬＣＤに近づける必要があるところ、角型電池とＬＣＤを重ねて配置すると、把持部分の厚みが増してハンディターミナルの厚型化が進み、持ちやすさの低下を招くという問題があった。
【先行技術文献】
【特許文献】
【０００６】
【特許文献１】特開２０１０−１３４８９６号公報
【発明の概要】
【発明が解決しようとする課題】
【０００７】
本発明は、従来のこのような問題点に鑑みてなされたものである。本発明の主な目的は、ハンディターミナルの握りやすさと置きやすさを改善した光学読取装置を提供することにある。
【課題を解決するための手段及び発明の効果】
【０００８】
上記の目的を達成するために、本発明の第１の側面に係る光学読取装置によれば、読取対象のシンボルの光学的読取を行うための読取部と、前記読取部により光学的に読み取られたシンボルの情報を含む各種情報を表示するためのディスプレイ部と、前記ディスプレイ部に各種情報が表示された状態で各種の操作を行うための複数のキーが配置されたキー配置部と、を筐体に備える光学読取装置であって、前記筐体は、前記筐体の表面側に前記ディスプレイ部が設けられた表示部分と、前記筐体の表面側に前記キー配置部が設けられ、前記筐体の長手方向と略直交する幅方向の外径が前記表示部分よりも幅狭に形成された把持部分と、前記把持部分における前記筐体の背面側において軸芯が前記筐体の長手方向と略平行となるように収納された１本の円筒形二次電池セルを覆うとともに、当該１本の円筒形二次電池セルの円筒形状に沿った曲面を有し且つ前記幅方向の略中央で部分的に凸状に突出した曲面突出部分と、前記曲面突出部分から前記筐体の長手方向に沿った位置に形成され、側面視において前記曲面突出部分よりも低い前記筐体の背面から前記曲面突出部分と同じ高さに又は前記曲面突出部分よりも高く突出させた形状を有し、前記読取部の読取面が該形状の先端側の傾斜面に面するように配置された第二突出部分と、を有し、前記筐体の長手方向において、前記曲面突出部分の一部及び前記第二突出部分の頂部が前記ディスプレイ部と重なるように配置されてなる。上記構成により、円筒形二次電池セルを把持部分に内蔵することでこの部分の厚みが増しても、持ちやすさの低下を防ぐことができる。なぜなら、厚さ方向に多少厚くなっても、持ち難くはならず、却ってグリップ感を向上できるからである。一般に、薄型の方が携帯しやすいと思われているが、薄い板状は却って持ち難いこともある。この点に着目して、把持部分を多少厚くすることで、握りやすさを改善できる。また、表示部分における筐体の背面側において、軸芯が筐体の長手方向と略平行となるように収納された円筒形二次電池セルを覆うとともに、その円筒形二次電池セルの円筒形状に沿った曲面を有し且つ幅方向の略中央で部分的に凸状に突出した曲面突出部分よりも低い筐体背面から、この曲面突出部分と同じ高さに又は曲面突出部分よりも高く突出させた第二突出部分を有することにより、光学読取装置の置きやすさを改善することができる。さらに、筐体の長手方向において、曲面突出部分の一部と第二突出部分の頂部がディスプレイ部と重なるように配置されているので、光学読取装置の全長を短くして小型化を図ることができる。
【０００９】
また、第２の側面に係る光学式情報読取装置によれば、前記把持部分ＨＡを、前記表示部分ＤＡよりも平面視において外径を幅狭とすることができる。
上記構成により、表示部分は大きくして視認性を高めつつ、把持部分は幅狭として細身とすることで、ユーザが把持し易くできる。これによって、把持しやすさと見易さを両立できる。特に、把持部分が多少厚型化しても、平面視を幅狭とすることでグリップ感を向上でき、把持しやすさを改善できる利点が得られる。また幅狭の筐体とすることで容積の小型化を維持できる利点も得られる。
【００１０】
さらに、第３の側面に係る光学式情報読取装置によれば、前記筐体１０は、前記把持部分ＨＡの背面が、前記円筒形二次電池セル５１の円筒形状に沿った曲面を部分的に形成した曲面突出部分ＲＰを、前記筐体１０の長手方向に沿って形成できる。
上記構成により、把持部分の背面を平坦面とした構成と比べ、グリップ感を向上できる。特に筐体の背面に突出した曲面を設けることで、部分的に厚くなっても握りやすくでき、グリップ感を一層向上させることができる。
【００１１】
さらにまた、第４の側面に係る光学式情報読取装置によれば、前記曲面突出部分ＲＰを、前記把持部分ＨＡの背面において略中央に設けることができる。
上記構成により、円筒形二次電池セルを把持部分の中心に設けることで、中心線を突出させてバランスよく把持できる。
【００１２】
さらにまた、第５の側面に係る光学式情報読取装置によれば、前記筐体１０の背面において、前記バッテリ部５０を配置した部分よりも前記表示部分ＤＡ側に、凹部１４を形成することができる。
上記構成により、ユーザは把持部分を把持した状態で、凹部に指をかけることができ、握りやすさが一層向上される。
【００１３】
さらにまた、第６の側面に係る光学式情報読取装置によれば、前記凹部１４を、光学式読取装置の重心よりも前に位置させることができる。
上記構成により、凹部に指をかけて操作し易くできる。例えばユーザが人差し指を凹部にかけると、重心よりやや前で筐体を保持でき、前倒れを防止して適切な姿勢とバランスを保持できるので片手でも安定して保持しやすくできる。
【００１４】
さらにまた、第７の側面に係る光学式情報読取装置によれば、前記筐体１０の、前記表示部分ＤＡの背面側において、前記把持部の背面側の曲面突出部分ＲＰと同じか、これよりも高く突出させた第二突出部分１６を、前記曲面突出部分ＲＰと交差する姿勢で形成することができる。
上記構成により、把持部分を厚型化して突出させても、表示部分側にも第二突出部分を設けることで、光学式情報読取装置を床面に載置した際に、第二突出部分を接地させて水平姿勢となるようにできる。
【００１５】
さらにまた、第８の側面に係る光学式情報読取装置によれば、前記第二突出部分１６に、前記読取部２２を収納すると共に、該第二突出部分１６と読取部２２との間に、隙間を設けることができる。
上記構成により、落下などの衝撃が加わっても、衝撃が直接読取部２２などの内部の部材に伝達する事態を回避できる。
【００１６】
さらにまた、第９の側面に係る光学式情報読取装置によれば、前記バッテリ部５０は、前記円筒形二次電池セル５１を収納するバッテリケース５２を備えており、前記バッテリケース５２は、その内部において前記円筒形二次電池セル５１の上面に、前記円筒形二次電池セル５１と接続された電池側回路基板５４を配置しており、前記電池側回路基板５４は、その長さを前記円筒形二次電池セル５１の全長よりも短く形成し、前記バッテリケース５２の上面に、前記電池側回路基板５４を収納する段差部５５を形成し、前記バッテリ部５０は、前記段差部５５を、前記ディスプレイ部３０と重ならない位置に形成することができる。
上記構成により、ディスプレイ部と電池側回路基板が重なって筐体が一層厚型化する事態を回避でき、把持し易い薄型構造が実現できる。
【００１７】
さらにまた、第１０の側面に係る光学式情報読取装置によれば、前記バッテリ部５０の上面において、前記ディスプレイ部３０との重なり領域ＯＬと、前記段差部５５との間に、バックアップ用の電池５６を配置することができる。
上記構成により、バッテリ部上面の空間を有効利用してバックアップ用の電池を配置できる。
【００１８】
さらにまた、第１１の側面に係る光学式情報読取装置によれば、さらに前記ディスプレイ部３０の周囲を囲む枠体２５を有する第一フレーム２４を備えており、前記第一フレーム２４を、金属製で構成することができる。
上記構成により、円筒形二次電池セルとディスプレイ部を重ねて配置しても、第一フレームの枠体によってディスプレイ部を保護することで堅牢性が高められ、落下などの衝撃で円筒形二次電池セルとの重複部分がディスプレイ部を破損する事態を回避できる。
【００１９】
さらにまた、第１２の側面に係る光学式情報読取装置によれば、さらに該光学式情報読取装置の動作を制御する制御回路を実装した主回路基板３６と、前記主回路基板３６を固定するための第二フレーム６２と、を備えており、前記第一フレーム２４が、前記筐体１０と固定されており、前記第二フレーム６２は、前記第一フレーム２４と固定するためのアーム部６５を備えており、前記アーム部６５の剛性を、前記主回路基板３６を固定する部位よりも低くすることができる。
上記構成によって、主回路基板を第一フレームに対して直接固定しないフローティング構造として、落下時などで筐体に衝撃が加えられても、内部の主回路基板への衝撃を低剛性のアーム部で吸収させ、耐衝撃性を向上させることができる。
【図面の簡単な説明】
【００２０】
【図１】実施例１に係る光学式読取装置を示す斜め上方から見た斜視図である。
【図２】図１の光学式情報読取装置を底面側からみた斜視図である。
【図３】図１の光学式情報読取装置の平面図である。
【図４】図１の光学式情報読取装置の底面図である。
【図５】図１の光学式情報読取装置の側面図である。
【図６】図１の光学式情報読取装置の筐体を上ケースと下ケースに分割した分解斜視図である。
【図７】図６の光学式情報読取装置の内部をさらに分解した詳細な分解斜視図である。
【図８】図５の光学式読取装置の垂直断面図である。
【図９】図２の光学式情報読取装置からバッテリ蓋を外した状態を示す分解斜視図である。
【図１０】図９の光学式情報読取装置からさらにバッテリ部を外した状態を示す分解斜視図である。
【図１１】図２のロックボタンをロック解除位置とした状態を示す底面側から見た斜視図である。
【図１２】図１０のバッテリ部の外観斜視図である。
【図１３】図１２のバッテリ部の断面図である。
【図１４】図５の光学式読取装置の把持部分を把持した状態を示す側面図である。
【図１５】図１４の光学式読取装置の把持部分を把持した状態を示す横断面図である。
【図１６】図８の光学式読取装置の縦断面の模式図である。
【図１７】円筒形二次電池とディスプレイ部を組み合わせた光学式読取装置の筐体を示す模式断面図である。
【図１８】図１０から筐体を分解した状態を示す分解斜視図である。
【図１９】図８の断面図において、センタトリガの位置関係を示す模式断面図である。
【図２０】従来のハンディターミナルの背面にベルトを固定した状態を示す模式側面図である。
【図２１】バッテリ蓋にベルトを設けた例を示す底面から見た斜視図である。
【図２２】図２１からバッテリ蓋を外した状態を示す底面から見た分解斜視図である。
【図２３】図２３（ａ）は変形例に係るベルトを備える光学式情報読取装置の斜視図、図２３（ｂ）は他の変形例に係るベルトを備える光学式情報読取装置の斜視図である。
【図２４】変形例に係るバッテリ蓋を一体化したバッテリ部を示す斜視図である。
【図２５】シャーシ集合体の平面図である。
【図２６】シャーシ集合体からディスプレイ部を外した状態を示す分解斜視図である。
【図２７】図２６の第一フレームから各部材を外した状態を示す分解斜視図である。
【図２８】図２７を背面から見た分解斜視図である。
【図２９】第二フレームの底面図である。
【図３０】筐体の内部に複数のフレームを備える状態を示す模式断面図である。
【図３１】内部フレームのフローティング構造を示す模式横断面図である。
【図３２】変形例に係る台座部を示す模式図である。
【図３３】変形例に係る光学式情報読取装置を示す模式断面図である。
【図３４】他の変形例に係る光学式情報読取装置を示す模式断面図である。
【図３５】キートップの平面図である。
【図３６】図２６を裏面側から見た分解斜視図である。
【図３７】キー配置部の模式平面図である。
【図３８】変形例に係るキー配置部の模式平面図である。
【図３９】他の変形例に係るキー配置部の模式平面図である。
【図４０】さらに他の変形例に係るキー配置部の模式平面図である。
【図４１】図４１（ａ）は図３５のキー配置部を採用した光学式情報読取装置の平面図、図４１（ｂ）は変形例に係るキー配置部を採用した光学式情報読取装置の平面図、図４１（ｃ）は他の変形例に係るキー配置部を採用した光学式情報読取装置の平面図である。
【図４２】従来のハンディターミナルを示す平面図及び水平断面図である。
【発明を実施するための形態】
【００２１】
以下、本発明の実施の形態を図面に基づいて説明する。ただし、以下に示す実施の形態は、本発明の技術思想を具体化するための光学式情報読取装置を例示するものであって、本発明は光学式情報読取装置を以下のものに特定しない。また、本明細書は特許請求の範囲に示される部材を、実施の形態の部材に特定するものでは決してない。特に実施の形態に記載されている構成部品の寸法、材質、形状、その相対的配置等は特に特定的な記載がない限りは、本発明の範囲をそれのみに限定する趣旨ではなく、単なる説明例にすぎない。なお、各図面が示す部材の大きさや位置関係等は、説明を明確にするため誇張していることがある。さらに以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。
【００２２】
本発明の実施例において使用される光学式情報読取装置とこれに接続される操作、制御、表示、その他の処理等のためのコンピュータ、プリンタ、外部記憶装置その他の周辺機器との接続は、例えばＩＥＥＥ１３９４、ＲＳ−２３２ｘやＲＳ−４２２、ＲＳ−４２３、ＲＳ−４８５、ＵＳＢ等のシリアル接続、パラレル接続、あるいは１０ＢＡＳＥ−Ｔ、１００ＢＡＳＥ−ＴＸ、１０００ＢＡＳＥ−Ｔ等のネットワークを介して電気的、あるいは磁気的、光学的に接続して通信を行う。接続は有線を使った物理的な接続に限られず、ＩＥＥＥ８０２．１ｘ等の無線ＬＡＮやＢｌｕｅｔｏｏｔｈ（登録商標）等の電波、赤外線、光通信等を利用した無線接続等でもよい。さらにデータの交換や設定の保存等を行うための記録媒体には、メモリカードや磁気ディスク、光ディスク、光磁気ディスク、半導体メモリ等が利用できる。なお本明細書において光学式情報読取装置とは、光学式情報読取装置本体のみならず、これにコンピュータ、外部記憶装置等の周辺機器を組み合わせた印字品質評価システムも含む意味で使用する。
（実施例１）
【００２３】
以下、本発明の実施例１に係る光学式情報読取装置として、ハンディターミナルに適用した例を、図１〜図８に基づいて説明する。これらの図において、図１は実施例１に係る光学式読取装置を示す斜め上方から見た斜視図、図２は図１の光学式情報読取装置１００を底面側からみた斜視図、図３は図１の光学式情報読取装置１００の平面図、図４は図１の光学式情報読取装置１００の底面図、図５は図１の光学式情報読取装置１００の側面図、図６は図１の光学式情報読取装置１００の筐体１０を上ケース１１と下ケース１２に分割した分解斜視図、図７は図６の光学式情報読取装置１００の内部をさらに分解した分解斜視図、図８は図５の光学式読取装置の垂直断面図を、それぞれ示している。
【００２４】
図１〜図５に示す光学式情報読取装置１００は、外形を一方向に延長された板状としている。光学式情報読取装置１００の外形を構成する筐体１０は、図６の分解斜視図に示すように、上ケース１１と下ケース１２に２分割される。上ケース１１と下ケース１２は、樹脂などの絶縁部材で構成される。これら上ケース１１と下ケース１２の間には、各部材を纏めたシャーシ集合体２０が収納される。このシャーシ集合体２０は図７に示すように、複数の部材で構成されている（詳細は後述）。また図６、図７の分解斜視図及び図８の垂直断面図等に示すように、筐体１０の先端部分には、読取対象のシンボルの光学的読取を行うための読取部２２が設けられている。読取部２２は、バーコードを読み取るスキャンモジュールや二次元コードを読み取るカメラモジュールなどで構成される。
【００２５】
筐体１０の上ケース１１側の上面には、ディスプレイ部３０と、キー配置部４０が設けられる。またディスプレイ部３０は筐体１０の上方に設けられており、ディスプレイ部３０の下方にはキー配置部４０が設けられる。この筐体１０は、ディスプレイ部３０を設けた表示部分ＤＡと、表示部分ＤＡの下方に設けられた把持部分ＨＡとで構成している。ユーザは、把持部分ＨＡを手で把持して、表示部分ＤＡに設けられたディスプレイの表示内容を参照しながら、把持部分ＨＡの表面側に配置されたキー配置部４０の各操作キー４６を操作する。
【００２６】
また筐体１０は、その表面側にディスプレイ部３０を設けた表示部分ＤＡと、表示部分ＤＡの下方において、同じく表面側にキー配置部４０を設けた把持部分ＨＡとが一方向に並ぶように構成されている。また後述するように、筐体１０は平面視において表示部分ＤＡを幅広とし、把持部分ＨＡを幅狭とする一方、側面視においては、把持部分ＨＡを厚くしている。特に把持部分ＨＡは、表示部分ＤＡよりも平面視において一方向と略直交する方向の外径が幅狭となるように形成されている。一方でバッテリ部５０は、筐体１０の背面側に収納される。
（ディスプレイ部３０）
【００２７】
ディスプレイ部３０は、筐体１０の一面に設けられ、読取対象のシンボルをカメラ部で撮像した画像や、シンボルを復号化した情報、その他の設定情報といった各種の情報を表示するための部材である。このようなディスプレイ部３０には、液晶ディスプレイ部（ＬＣＤ）や有機ＥＬなどが利用される。またディスプレイ部３０の上面には、タッチパネル３４が配置される。
（キー配置部４０）
【００２８】
キー配置部４０には、各種の操作を行うテンキーや電源ボタン、ファンクションボタンといった複数の操作キー４６が並べられている。
（バッテリ蓋５８）
【００２９】
また光学式情報読取装置１００は、これを駆動する電力を供給するためのバッテリ部５０を備えている。バッテリ部５０は、光学式情報読取装置１００に着脱自在に装着している。このため、図９、図１０の分解斜視図に示すように、筐体１０の背面に、バッテリ部５０を収納するためのバッテリ収納部１３を形成している。バッテリ収納部１３は、筐体１０の把持部分ＨＡに設けられる。またバッテリ収納部１３は、バッテリ部５０を収納できる窪み状に形成されている。このバッテリ収納部１３の窪み状の開口部分は、バッテリ蓋５８によって閉塞される。このためバッテリ蓋５８は、筐体１０の下ケース１２に着脱自在に装着している。またバッテリ蓋５８でバッテリ収納部１３を閉塞した状態で防水性を発揮するよう、図７の分解斜視図に示すようにパッキン５７を設けることもできる。
（ロックボタン５９）
【００３０】
バッテリ蓋５８は、着脱自在に下ケース１２に固定される。バッテリ蓋５８でバッテリ収納部１３を閉塞した状態にロックするため、下ケース１２はロックボタン５９を備えている。ロックボタン５９は、バッテリ蓋５８をロック状態とするロック位置と、バッテリ蓋５８のロック状態を解除したロック解除位置とに切り替え可能としている。図２はロックボタン５９をロック位置とした状態、図１１はロック解除位置とした状態を、それぞれ示している。このようにロックボタン５９の位置によって、バッテリ蓋５８のロック状態を目視できる。この例ではロックボタン５９はスライド式にロック位置とロック解除位置とを切り替え可能であり、後述する凹部１４からその前方の突出部分１５にかけて設けられている。すなわち、ロックボタン５９はその移動方向と交差する方向に折曲した押圧面５９ｂを有しており、この押圧面５９ｂを押してロック位置、解除位置に移動できる。図８の断面図に示す例では、ロックボタン５９は断面視凸状に下側に突出するよう形成されている。このようにロックボタン５９は、スライドする方向と交差する押圧面５９ｂを有しているので、ロック位置、解除位置のいずれの方向へ移動させる際も、押圧面５９ｂを押圧してスライドさせ易くできる。特に従来のスライド式ロックボタンは、スライド方向に平行な面のみを表出させた形態であったため、この面を指で押圧して摩擦によってスライドさせる必要があり、移動させ難い問題があったが、移動方向に交差する押圧面５９ｂを設けたことで、摩擦によらず押圧力を直接スライド移動させる力とでき、弱い力でも確実にロックボタンを操作できるという利点が得られる。
【００３１】
特に上記の光学式情報読取装置１００では、ロックボタン５９を凹部１４に面した突出部分１５に設けたことで、この凹部１４の窪み部分を利用して、ロックボタン５９の押し出し可能な押圧面５９ｂを表出させることを実現している。このように、凹部１４をユーザによる光学式情報読取装置１００の握り易さのみならず、バッテリ蓋５８の開閉の便にも資するように利用できる。また図２、図８等の例では、押圧面５９ｂを傾斜させた面としており、凹部１４と突出部分１５との境界をなだらかにして、ユーザが把持した際のグリップ感をスムーズにしている。
【００３２】
さらにロックボタン５９は、図２及び図４に示すように、突出部分１５の幅方向にわたる全域に設けられるのでなく、突出部分１５の中央近傍に設けられている。いいかえると、突出部分１５において、ロックボタン５９を配置した部分の両側には、突出部分１５の一部を残している。この結果、図１１に示すようにロックボタン５９をロック解除位置にスライドさせた状態で、突出部分１５の傾斜面が、押圧面５９ｂの移動によって中央部分で窪み、その両側には傾斜面が残る状態となる。このように、突出部分全体をロックボタン５９とするのでなく、その一部とし、かつロックボタン５９の両側に突出部分１５を残すことで、光学式情報読取装置１００の使用時に誤ってロックボタン５９をロック解除位置に移動させる事態を防止できる。すなわち、後述する図１４に示すとおり、ユーザが光学式情報読取装置１００を用いてバーコードの読み取りを行っている際、ユーザの人差し指等は上述した凹部１４に位置する。この状態で、ユーザがロックボタン５９をロック解除位置にスライドさせようと思っても、物理的に困難となる。すなわち、凹部１４に位置する人差し指等でロックボタン５９を押し上げようとしても、ロックボタン５９の両側に突出部分１５の傾斜面が存在するため、これが人差し指等に当接して、ロックボタン５９の押圧面５９ｂに押圧力を加えることを困難にする。このように、ロック機構を解除する動作を、光学式情報読取装置１００の通常使用時、例えばスキャン操作やキー操作をしている際に行うことを、物理的に困難な構成を採用することで、使用中に不意にロック機構が解除されてバッテリ部が外れる事態を回避できる。なお、図２等の例では、突出部分１５の略中央にロックボタン５９を設けているが、ロックボタンの両側に突出部分が残っておれば上記効果が発揮できるので、必ずしも中央である必要はなく、突出部分の中間部分であれば足りる。すなわち、ロックボタン５９をロック位置からロック解除位置に位置させた状態で、突出部分１５の中間が窪むように配置されておればよく、例えば突出部分の中心から偏心した位置にロックボタンを設けてもよい。
（バッテリ部５０）
【００３３】
次にバッテリ部５０の外観斜視図を図１２に、垂直断面図を図１３に、それぞれ示す。これらの図に示すバッテリ部５０は、充電可能な二次電池を備えている。ここでは、二次電池として円筒形の二次電池セル５１を用いている。一般に光学式情報読取装置は、小型化、薄型化が求められているため、角型電池が用いられることが多い。言い換えると、厚さが厚くなる円筒形二次電池は忌避されていた。ただ、ユーザが光学式情報読取装置を把持する際の持ちやすさについて、本願発明者が検討したところ、単に薄型化するのみならず、平面視における横幅が小さいことも重要となることが判明した。寧ろ、薄くて幅広の板状は、却って持ち難いこともある。そこで本実施例では、敢えて角型電池でなく円筒形二次電池を採用することで、厚さを若干厚めにしつつも、横幅を狭くすることで、把持部分ＨＡを板状から棒状に近付けている。このような把持部分ＨＡとすることで、把持部分ＨＡの厚みが若干増しても、持ちやすさの低下を防いでいる。
（曲面突出部分ＲＰ）
【００３４】
さらに把持部分ＨＡの背面は、図１４の側面図及び図１５の横断面図に示すように、円筒形二次電池セル５１の円筒形状に沿って、部分的に突出させた曲面状としている。このように筐体１０の背面に突出した曲面を設けることで、把持部分ＨＡが部分的に厚くなっても却って握りやすくでき、グリップ感を一層向上させることができる。すなわち、把持部分ＨＡの背面を単に平坦面とした従来の構成と比べ、中央を凸状に突出させた曲面突出部分ＲＰを設けたことで、ここをユーザが把持する際の握りやとっかかりとして利用でき、横幅を狭くしたこととも相俟って、グリップ感の向上に寄与することができる。
【００３５】
円筒形二次電池セル５１は、図８の垂直断面図に示すように、その軸芯が筐体１０の長手方向と略平行となる姿勢に配置される。このため曲面突出部分ＲＰも、筐体１０の長手方向に沿うように形成される。また、図１６の模式図に示すように、円筒形二次電池セル５１の一部が、ディスプレイ部３０の一部と重なるように配置している。このように配置することで、光学式情報読取装置の筐体１０の、長手方向の長さを短くでき、ひいては持ちやすさとキー操作性を高めることができる。すなわち、従来は薄型化やディスプレイ保護の観点から、ディスプレイ部と電池セルを重ねて配置することが避けられてきたところ、本実施例に係る光学式情報読取装置においては、あえて電池セルをディスプレイ部と部分的に重複するように配置することで、筐体１０の長さを短くし、表示部分ＤＡと把持部分ＨＡとを近付けることで操作性を改善している。なお図８の垂直断面図に示すように、バッテリ部５０はディスプレイ部３０と部分的に重なるように配置されているため、バッテリ部５０は把持部分ＨＡのみならず、把持部分ＨＡから表示部分ＤＡの一部にかけて配置されている。
（円筒形二次電池セル５１）
【００３６】
円筒形二次電池セル５１は、外装缶を円筒状として、内部に電極板やセパレータなどを収納している。この構造の円筒形二次電池セル５１は、角型電池セルに比べて収納効率に優れており、容量密度を向上できる利点が得られる。また、充放電の繰り返しによって外装缶の内部にガスが発生して高圧になっても、円筒形の外装缶の内面に対して均一に圧力が印加されるため、角型電池に比べて外装缶の膨らみによる変形も抑制でき、長期に渡って安定的に利用できる。さらに、例えばパソコン用などで普及している１８６５０型のリチウムイオン二次電池は、規格化され大量生産されているため、安価で入手しやすいという利点も得られる。
【００３７】
さらにバッテリ部５０の二次電池に、円筒形二次電池セル５１を使用することで、角型電池を用いる例と比べ、把持部の形状を、側面視において厚く、かつ平面視において幅狭とできる。この結果、幅広で薄型の把持部よりも棒状に近付けた形状として、把持しやすさを改善できる。特に図３に示すように、表示部分ＤＡを幅広とすることでディスプレイ部３０を大きくでき、視認性を高めつつも、把持部分ＨＡは幅狭として細身とすることで、ユーザが把持し易くできる。これによって、把持し易さと見易さとを両立できる。特に、把持部分ＨＡが多少厚型化しても、平面視を幅狭とすることでグリップ感を向上でき、把持しやすさを改善できる利点が得られる。また幅狭の筐体１０とすることで容積の小型化を維持できる利点も得られる。
【００３８】
なおこの例では、円筒形二次電池セル５１を１本のみ使用しているが、２本以上用いてもよい。例えば円筒形二次電池セルを２本平行姿勢に並べて収納したバッテリ部を用いた場合、曲面突出部分は、断面形状がトラック形状となる。またこの例ではバッテリ部を着脱式とした例を説明しているが、これに限らず、バッテリ部を交換不可能な内蔵式とすることもできる。
（凹部１４）
【００３９】
さらに図５の側面図に示すように、筐体１０の背面側において、バッテリ部５０を配置した部分よりも表示部分ＤＡ側に、凹部１４を形成している。この凹部１４は、図４の底面図に示すように、下ケース１２の背面で、曲面突出部分ＲＰの幅方向にわたって形成される。また凹部１４の断面形状は、図１４の側面図に示すように、ユーザが把持部分ＨＡを把持した状態で、指をかけやすくなるよう、断面視を曲面状に形成している。これによって、把持部の握りやすさが一層向上される。凹部１４に掛ける指は、例えばユーザの手が大きい場合は中指、手が小さい場合は人指し指等とできる。この凹部１４は、把持部分ＨＡと表示部分ＤＡとの境界近傍で、表示部分ＤＡ側に形成される。換言すれば、ディスプレイ部３０の背面側に形成されるといえる。
【００４０】
また凹部１４は、光学式読取装置の重心よりも前に位置させることが好ましい。これによって、ユーザが凹部１４に指をかけた状態で、ここを支点としてバランスよく把持し、光学式読取装置の姿勢をコントロールし易くして操作を容易にできる。例えばユーザが人差し指を凹部１４にかけると、重心よりやや前で筐体１０を保持でき、前方に倒れることを防止し、適切な姿勢とバランスを保持できるので、片手でも安定して保持しやすくできる。
（第二突出部分１６）
【００４１】
さらに筐体１０の背面には、図４の底面図及び図５の側面図に示すように、先端側に第二突出部分１６を形成している。この突出部分は、表示部分ＤＡの背面側において、把持部の背面側の曲面突出部分ＲＰと同じか、これよりも高く突出させている。
【００４２】
本実施例は、円筒形二次電池セル５１を用いるため、通常の角型電池を用いた光学式読取装置に比べて把持部分ＨＡが厚くなる。このため、表示部分ＤＡを設けた部分が相対的に薄くなる結果、図１７に示すように側面視の形状が底面がフラットにならず、光学式読取装置を床面に置くと水平にならないという問題が生じる。
【００４３】
そこで、図１４、図１６などに示すように、下ケース１２の上側の裏面に第二突出部分１６を形成することで、光学式情報読取装置１００を床面に置いた際に、この第二突出部分１６が接触するようにして、前後に傾くことなく、水平姿勢で安定的に保持される。
【００４４】
また第二突出部分１６は、曲面突出部分ＲＰと交差する姿勢に形成する。ここでは、図４の底面図に示すように、曲面突出部分ＲＰ、すなわち円筒形二次電池セル５１の長手方向とほぼ直交する姿勢としている。このようにすることで、光学式読取装置の背面の中心に円筒形二次電池セル５１の頂部に沿って曲面突出部分ＲＰが突出されていても、光学式読取装置を床面に置いた状態で第二突出部分１６が接触するので、左右に傾くことなく、水平姿勢で静置できる。第二突出部分１６は、ある程度の幅に形成されるが、下ケース１２の幅全体にわたって延長する必要は必ずしもない。
【００４５】
加えて、このような第二突出部分１６を設けることで筐体１０内部に生じる空間を、読取部２２を配置するスペースとして利用している。この例では図８の断面図に示すように、第二突出部分１６を側面視で逆三角形状に形成し、読取部２２の読取面を、この逆三角形を構成する先端側の傾斜面に面するように配置している。このように、読取面を斜めに設けることで、スキャンしやすい光学式情報読取装置とできる。また、第二突出部分１６の幅は、読取部２２の幅に応じて設計できる。
【００４６】
さらにこの例では、第二突出部を読取部２２と下ケース１２との間に隙間ＧＰ１、ＧＰ２を設けることにも利用している。すなわち、図１６の模式断面図に示すように、読取部２２を下ケース１２の内面と密着させず、敢えて空間を設けることで、光学式情報読取装置を誤って落下させた際などに、筐体１０に加わる衝撃が読取部２２に直接伝達してこれを破損する事態を回避できる。特にスキャンモジュールは光学部品を備えており、その角度設定などが衝撃で狂うことのないような手当が必要となる上、筐体１０の裏面側で突出する第二突出部分１６は、落下した際に最初に床面などに触れて衝撃を受けやすい。このため、スキャンモジュール等の読取部２２と下ケース１２とを接触させず浮かせた構造とすることで、下ケース１２に加えられた衝撃が直接読取部２２に伝達する事態を回避できる。さらに読取部２２は、後述する第二フレーム６２に固定させており、第二フレーム６２のフローティング構造によっても耐衝撃を向上できる。
（バッテリケース５２）
【００４７】
再びバッテリ部５０の説明に戻ると、バッテリ部５０は図１３の断面図に示すように、円筒形二次電池セル５１を収納するバッテリケース５２を備えている。バッテリケース５２は図１２の外観斜視図に示すように、全体を円筒形二次電池セル５１の円筒状に沿った蒲鉾状に形成しつつ、筐体１０のバッテリ収納部１３に収納される際に対向する面をほぼ平面状としている。このバッテリケース５２は、図１０及び図１８の光学式情報読取装置１００を背面から見た分解斜視図に示すように、ほぼ平面状の面を筐体１０に対向させた姿勢で、バッテリ収納部１３に収納する。
（電池側回路基板５４）
【００４８】
さらに平面状の対向面には、図１３の断面図に示すように段差部５５を設けている。この段差部５５には、電池側回路基板５４が収納されている。電池側回路基板５４は、円筒形二次電池セル５１と接続されており、その制御を行う。例えば、セル電圧や温度等を検出して、安全に充放電が行われている状態にあるかどうかを監視している。
（段差部５５）
【００４９】
さらに段差部５５は、バッテリ部５０を筐体１０に収納した状態で、ディスプレイ部３０と重ならない位置に設けられる。このようにすることで、円筒形二次電池セル５１とディスプレイ部３０とを重ねた部位に、さらに電池側回路基板５４が位置することで光学式情報読取装置の厚さが増すことを回避できる。特にこの例では、電池側回路基板５４を、電池の上面で電池の長さ方向にわたって設けるのでなく、長さを短くして、円筒形二次電池セル５１の上面で、長手方向の一部を覆うようにしている。これによって、円筒形二次電池セル５１とディスプレイ部３０と重なった構成を採用しつつも、この重なり領域ＯＬから電池側回路基板５４の配置位置をずらすことにより、不必要に光学式情報読取装置が厚型化する事態を回避できる。
（バックアップ用電池５６）
【００５０】
図８の断面図に示す例では、円筒形二次電池セル５１の先端側でディスプレイ部３０とオーバーラップさせた重なり領域ＯＬを設け、一方円筒形二次電池セル５１の後端側で、段差部５５を設けている。この結果、図１９の模式断面図に示すように、重なり領域ＯＬと段差部５５との間に、さらに空間が生じる。そこで、この空間を利用して、バックアップ用の電池５６を配置している。バックアップ用電池５６は、円筒形二次電池セル５１の残容量がなくなった際や交換時にも設定データを保持するための電池であり、ボタン電池やリチウムイオン電池等が利用できる。図１８の分解斜視図に示す例では、円盤状のリチウムイオン電池を利用しており、この電池の外形に沿った円形の枠体を段差部５５と重なり領域ＯＬとの間に形成している。このように、筐体１０内の空間を有効利用してバックアップ用電池５６を配置でき、筐体１０の大型化を回避できる。
（ベルト６０）
【００５１】
また筐体１０の背面には、図２１の斜視図及び図２２の分解斜視図に示すように、長手方向に沿ってベルト６０を設けることもできる。ベルト６０は、ユーザが筐体１０の把持部分ＨＡを把持したときに、ユーザの指を筐体１０の後面に保持する。これにより、作業中に誤って筐体１０を落とし難くできる。このベルト６０は、バッテリ蓋５８Ａに固定することが好ましい。すなわち従来は、図２０の模式側面図に示すように、バッテリ蓋５８Ｘの上下を跨ぐようにベルト６０Ｘを下ケース１２Ｘに固定していたため、バッテリ蓋５８Ｘの取り外しの際にベルト６０Ｘが邪魔になって作業し辛いという問題があった。これに対して、バッテリ蓋５８Ａにベルト６０を固定することで、バッテリ蓋５８Ａと共にベルト６０も外れて、作業を妨げることがなくなる。このようにベルト６０をバッテリ蓋５８Ａと一体にすることで、バッテリ蓋５８Ａの着脱をベルト６０が邪魔することなく、バッテリ部５０のスムーズな交換が可能となる。また図２１及び図２２の例では、バッテリ蓋のみを交換することで、既存の光学式情報読取装置に対して、ベルトを付加できる。
【００５２】
なおこの例ではベルト６０の両端をバッテリ蓋５８Ａに固定しているが、ベルトの一方の端部のみをバッテリ蓋に固定し、他方の端部を筐体に固定するようにしてもよい。例えば図２３（ａ）の斜視図に示すように、ベルト６０Ｂの後端を筐体１０Ｂの端部に固定することで、バッテリ蓋５８Ｂのロック状態を解除してバッテリ蓋５８Ｂを外すことができる。この構成であれば、バッテリ蓋５８Ｂが筐体１０Ｂと常に連結されているため、バッテリ蓋５８Ｂの紛失を回避できる。またベルトの下端を筐体に固定する構成に限らず、図２３（ｂ）の斜視図に示す変形例のように、ベルト６０Ｃの上端を筐体１０Ｃに固定し、下端をバッテリ蓋５８Ｃに固定しても、同様の効果が得られる。またベルトは、ベルトと筐体との間にユーザが手を挿入できるよう、筐体と離間させた姿勢で固定することが望ましい。例えば図２３（ａ）の例では、ベルト６０Ｂの両端を支持するためにバッテリ蓋５８Ｂ及び筐体１０Ｂから、アームを突出させている。一方図２３（ｂ）の例では、ベルト６０Ｃの上端側を筐体１０Ｃの第二突出部分に固定することで、アームを設けることなくベルト６０Ｃと筐体１０Ｃとを離間させている。
（バッテリ蓋を一体化したバッテリ部５０Ｂ）
【００５３】
なお、上記の例では、バッテリ部５０を光学式読取装置に収納する形態、すなわち、バッテリ部５０を光学式読取装置のバッテリ収納部１３にセットした状態で、バッテリ蓋５８でバッテリ収納部１３を閉塞する形態としている。ただ、本発明はこの形態に限られず、バッテリ蓋をバッテリ部に一体化する形態としてもよい。このような例を図２４に示す。この図に示すバッテリ部５０Ｂは、バッテリ蓋を予め固定しており、バッテリ部５０Ｂをバッテリ収納部１３Ｂにセットした状態で、バッテリ収納部１３Ｂが閉塞される。この構成であれば、バッテリ部５０Ｂの交換の際に一々バッテリ蓋を取り外し、再度装着する手間を省き、バッテリ交換作業を省力化できる。またバッテリ部５０Ｂの交換の際にバッテリ蓋を失う事態も回避できる。このバッテリ部５０Ｂは、バッテリ蓋を背面に固定しているが、バッテリ部のバッテリケースの一部が、光学式読取装置の筐体の一部を構成するように、バッテリケースを形成することもできる。またいずれの場合も、ベルトをバッテリ部に装着できることは言うまでも無い。
（シャーシ集合体２０）
【００５４】
次に、筐体１０の内部に収納されるシャーシ集合体２０の詳細構造を図６〜図７、図２５〜図２９等に基づいて説明する。これらの図において、図６は筐体１０を上ケース１１と下ケース１２に分割した分解斜視図、図７は図６からさらに分解した詳細な分解斜視図、図２５はシャーシ集合体２０の平面図、図２６はシャーシ集合体２０からディスプレイ部３０を外した状態を示す分解斜視図、図２７は図２６の第一フレーム２４から各部材を外した状態を示す分解斜視図、図２８は図２７を背面から見た分解斜視図、図２９は第二フレーム６２の底面図を、それぞれ示している。
【００５５】
上述の通り、円筒形二次電池セル５１とディスプレイ部３０とを重ねた配置とすると、外部からの衝撃によって電池セルの隅部がディスプレイ部３０に接触する可能性があり、耐衝撃性が低下する虞がある。そこで、本実施例では第一フレーム２４を、ディスプレイの周囲を囲む隔壁状の枠体２５を設けることで、堅牢性を高めている。
（第一フレーム２４）
【００５６】
第一フレーム２４は、図２５、図２６、図２７、図２８などに示すように、板状のディスプレイ部３０の周囲を覆う枠体２５を形成している。枠体２５は、その内形をディスプレイ部３０の外形とほぼ等しいか、これよりも若干大きくした形状に形成される。特に枠体２５の高さは、ディスプレイ部３０の厚さよりも若干大きくすることで、ディスプレイ部３０が直接落下時の衝撃等に晒されないように保護できる。またディスプレイ部３０と枠体２５の間には、スポンジやゴムのような衝撃吸収部材を配置して隙間を埋めると共に、耐衝撃性を向上させる。
【００５７】
さらに、枠体２５の後端には、キー配置部４０を下支えするためのキー配置プレート２８を一体に構成している。また第一フレーム２４は金属製等の、十分な強度を有する高剛性の材質とする。ここでは、第一フレーム２４をマグネシウム合金製として、十分な強度を発揮しつつ軽量として携行性を高めている。このように、シャーシ集合体２０の全体を形成するフレームとして第一フレーム２４を高剛性の部材で一体に形成することで、耐衝撃性を高める効果が得られる。特に図３０に示すように、筐体１０の内部において複数のフレーム２４Ｅに分割される構成が一般的であるため、このような分割式の構成に比べて、筐体１０の全長にわたって一体的に構成されたコアとなるフレームを設け、さらに高剛性の部材とすることで、耐衝撃性は各段に向上される。加えて、枠体２５でディスプレイ部３０の周囲を覆うことで、この枠体２５を隔壁として他の部材と隔離し、ディスプレイ部３０を外部から保護する。さらに第一フレーム２４は、図２７、図２８の分解斜視図に示すように、枠体２５の底側にも、枠状の周囲に沿って底面板２６を設けており、枠体２５に収納されるディスプレイ部３０を底面から支承する。底面板２６は、枠体２５の矩形状の四隅の部分で広くなるよう、八角形状に形成され、中央は開口させている。このような形状とすることで、枠体２５の隅部を補強して強度の向上にも寄与し得る。
【００５８】
また底面板２６は、ディスプレイ部３０と円筒形二次電池セル５１との重なり領域ＯＬにも設けられる。これによって、落下などにより衝撃が加えられた際、円筒形二次電池セル５１からディスプレイ部３０を保護して、このような重複した配置でもディスプレイ部３０の破損を回避できる。加えて第一フレーム２４は、底面板２６の一部で、ディスプレイ部３０と円筒形二次電池セル５１との重なり領域ＯＬにおける底面板２７の高さを、他の底面板２６よりも深くしている。図８の断面図に示す例では、重なり領域ＯＬにおける底面板２７は円筒形二次電池セル５１に当接させつつ、ディスプレイ部３０の底面からは離間させている。これによって、円筒形二次電池セル５１からディスプレイ部３０側への衝撃力を弱める緩衝領域が形成され、耐衝撃性が一層高められる。
【００５９】
また第一フレーム２４の裏面側には、図２７、図２８の分解斜視図に示すように、主回路基板３６と、第二フレーム６２と、読取部２２が配置される。第二フレーム６２は、主回路基板３６と読取部２２を固定するための部材である。また主回路基板３６には、光学式情報読取装置の動作を制御する制御回路が実装されている。主回路基板３６は、読取部２２や後述するキー回路基板４４とフレキシブル基板（ＦＰＣ）やケーブル（ＦＦＣ）等を介して電気的に接続されている。
（読取部２２）
【００６０】
読取部２２は、この例ではバーコードを読み取るためのスキャンモジュールである。スキャンモジュールは、バーコードを走査するための読取光源としてレーザダイオードやガルバノミラーを備えている。また、二次元コードの読取には、ＣＣＤイメージ素子等の撮像素子と照明手段を備えたカメラモジュールが利用される。この光学式情報読取装置は、スキャンモジュールとカメラモジュールのいずれかを選択することで、バーコードリーダとしても、二次元コードリーダとしても利用できる。このため、スキャンモジュールとカメラモジュールは、外形を共通化して、同じ第二フレーム６２に固定できるように構成することが好ましい。
【００６１】
また読取部２２は、図８の断面図に示すように、筐体１０の水平方向に対して斜めに固定されている。このように読取部２２を傾斜させることで、ユーザが光学式情報読取装置１００を把持して読取作業を行う際、例えば二次元シンボルを読み取る際に、カメラモジュールで撮像した画像をリアルタイムでディスプレイ部３０に表示させながら、撮像位置の確認作業を行いやすくしている。同様にバーコードのスキャンにおいても、照射位置の確認が容易となる。このような傾斜角度αは、例えば３０°とする。
（第二フレーム６２）
【００６２】
読取部２２は、第二フレーム６２に固定される。このため第二フレーム６２には、図２９の底面図に示すように、読取部２２を収納する読取モジュール収納部６３が形成される。この第二フレーム６２は、開口や突起などを設けた板材６４の一部（図２９において左上）に、読取モジュール収納部６３を形成している。読取モジュール収納部６３は、読取部２２の外形に応じた箱形に形成される。また、読取部２２を所定の傾斜角度で保持するよう、読取モジュール収納部６３の底面を傾斜させている。特に図８の断面図及び図１６の模式断面図に示すように、読取部２２を下ケース１２から離間させつつ、読取部２２が読み取り走査を行う読取面を斜めに保持する必要がある。このため第二フレーム６２の読取モジュール収納部６３は、読取部２２が所定の傾斜角度と高さで筐体１０内に保持されるよう、その形状にて姿勢と位置を規定する。いいかえると、読取部２２を読取モジュール収納部６３に収納することで、読取部２２は位置決めされた状態となる。
【００６３】
さらに、第二フレーム６２の、読取モジュール収納部６３を設けた面と反対面には、主回路基板３６が固定される。主回路基板３６は図２７の分解斜視図に示すように、四隅をねじ止めして第二フレーム６２に固定される。このように、第二フレーム６２は一方の面に読取部２２を、他方の面に主回路基板３６を固定している。
（アーム部６５）
【００６４】
さらに第二フレーム６２は、第一フレーム２４と固定される。このため図２９の底面図に示すように、第二フレーム６２の板材６４の周囲にフレーム状にアーム部６５を設ける。アーム部６５は、第二フレーム６２の四隅から突出させており、各アーム部６５にねじ穴を開口している。そしてねじ穴を介して、第二フレーム６２を第一フレーム２４にねじ止めにより固定する。
【００６５】
この第二フレーム６２は、剛性を一定とせず、アーム部６５の剛性を他の部位よりも低くしている。例えば、第二フレーム６２とアーム部６５を同一の樹脂、部材で構成しつつ、前者を厚肉形状（高剛性）、後者を薄肉形状（低剛性）にする、もしくは第二フレーム６２を高剛性の樹脂製（例えばガラス繊維を含んだポリカーボネート）としつつ、アーム部６５については低剛性の樹脂（例えばガラス繊維を含まないポリカーボネートやＡＢＳ等）を用いる。このようにすることで、高剛性の読取モジュール収納部６３で読取部２２を保護しつつ、第一フレーム２４との接続部分であるアーム部６５に柔軟性を持たせ、衝撃を吸収可能なフローティング構造を実現する。すなわち、図１６及び図３１の模式断面図に示すように、第一フレーム２４は筐体１０の上ケース１１と下ケース１２との間で強固に固定されているものの、第二フレーム６２は低剛性のアーム部６５でもって第一フレーム２４と固定したことで、筐体１０と強固には固定されていない。さらに主回路基板３６は、第一フレーム２４とは直接固定されておらず、第二フレーム６２と固定されている。このため、仮に落下などの衝撃が筐体１０に加えられても、筐体１０から第一フレーム２４に伝えられた衝撃をアーム部６５が吸収することで、第二フレーム６２への衝撃が緩和されて、主回路基板３６を保護できる。その一方で、第一フレーム２４自体は高剛性の金属製として、使用時の捻れなどに対して十分な耐性を発揮し、ディスプレイ部３０のＬＣＤやタッチパネル３４を保護できる。
（ディスプレイ駆動回路３２）
【００６６】
一方、ディスプレイ部３０は、これを駆動するための駆動回路３２を備えている。ディスプレイ駆動回路３２は、例えばディスプレイ部３０がＬＣＤの場合は、ＬＣＤドライブ回路であり、ディスプレイ部３０の周囲の一辺近傍に設けられる。通常、ＬＣＤを機器に搭載する場合、駆動回路３２を表示領域の下方に位置させるようにレイアウトすることが多く、それゆえにＬＣＤ自体の視野角設定も、そのようなレイアウトの場合に操作者に対し視野角が広くなるよう、最適化されている場合が多い。図２６の分解斜視図に示す例では、ディスプレイ駆動回路３２は、ディスプレイ部３０に含まれている。
【００６７】
一方で、上ケース１１には、ディスプレイ部３０の下方に第一キー７０を配置している。第一キー７０は、ディスプレイ部３０の表示内容を参照しながら操作されるため、表示領域と近いほど操作性がよい。しかしながら、上述の通りディスプレイ部３０の下方にはディスプレイ駆動回路３２が配置されている。一般にディスプレイ部３０の全面が表示領域とならず、ディスプレイ部３０の表面の内、周辺部分は表示領域として利用できない部位が残る。図２５の平面図に示す例では、ディスプレイ部３０において枠状に示す領域が表示領域となり、その周囲には非表示領域が存在する。このため、第一キー７０を表示領域と近付けようとすると、いきおい、ディスプレイ部３０の下辺に設けられたディスプレイ駆動回路３２と第一キー７０も近付いてしまう。ディスプレイ駆動回路３２は、電子部品を実装しているため、外部からの応力が加わると、電子部品の破損や、半田付部分の割れや接触不良といった可能性が懸念される。このため従来は、表示領域と第一キー７０との間をある程度離間させる構成が採用されていた。
【００６８】
しかしながら、このような配置では上述の通り、表示領域と第一キーとが離れるほど、情報の表示される部位と、これに基づいて操作を行う部位とが離れてしまうため、操作がし辛くなるという問題があった。そこで本実施例においては、第一キー７０の下面側に台座部７２を設け、台座部７２でもって第一キー７０を支承することで、第一キー７０を押下するなどの操作によって生じる応力が、その下面側に伝達され難くなる構造とした。これによって、表示領域と第一キー７０とを近接させて配置することが可能となり、操作性が向上する。
（台座部７２）
【００６９】
台座部７２は、図２６の分解斜視図に示すように、板状に形成され第一フレーム２４に固定されている。台座部７２の大きさは、第一キー７０の大きさと同程度とすることが好ましい。また台座部７２の高さは、図１９の模式断面図に示すように、ディスプレイ部３０の表面よりも高い位置とする。これによって第一キー７０が押し込まれても、台座部７２で支承され留められる結果、ディスプレイ部３０の表面に達することが回避される。このように台座部７２をディスプレイ部３０の表面から離間させた位置に固定するため、台座部７２は剛性に優れた金属製とし、好ましくは第一フレーム２４と一体に成形される。
【００７０】
特に図１９の模式断面図に示すように、庇状に上方（図１９において左側）に向かって迫り出すように、断面視Ｌ字状に形成される。このような形状とすることで、ディスプレイ部３０を枠体２５内に配置する際に、台座部７２の支承部分７３が抵触することを回避できる。特にディスプレイ部３０の後端部分には上述の通りディスプレイ駆動回路３２が設けられているため、後端部分が第一キー７０の操作によって応力を受けないようにすることで、回路の保護が図られる。
【００７１】
また、台座部７２と底面板２６との間に形成される空間７４に、ディスプレイ部３０の後端が部分的に入り込むように配置してもよい。これによって、一層ディスプレイ部３０と第一キー７０とを近接させ、第一キー７０を表示画面の直下まで近づけて配置できるため、キー操作性がさらに改善される。
【００７２】
図２６の分解斜視図に示す例では、第一フレーム２４の枠体２５の内、台座部７２が配置される部分の近傍を部分的に切り欠いている。これによって、台座部７２の下方で、第一フレーム２４の枠体２５内への連通口７５が開かれるため、ここにＦＰＣやＦＦＣ等を通して、ディスプレイ部３０上面のタッチパネル３４と、後述するキー回路基板４４とを接続できる。また第一フレーム２４を、台座部７２を一体的に設けた形状に、金型で成型でき、金属製の台座部７２を第一フレーム２４と共に形成できることで、強度の向上とコストの削減が実現される。
【００７３】
また台座部７２の形状は、上述した台座部７２の長手側後端側で支承部分７４により支承した庇型に限らず、例えば図３２の模式図に示すように、台座部７２の短手側の両端を支承した断面視コ字状としてもよい。コの形状でも、台座部７２Ｂの下方に連通口７５Ｂを形成でき、タッチパネルとキー回路基板４４との電気配線が可能となる。
（第一キー７０）
【００７４】
以上の第一キー７０は、使用頻度の高いキーが好ましい。複数のキーの内で、操作頻度の高い第一キー７０をディスプレイ部３０の表示領域に近接して配置することで、ユーザの操作性を向上させることができる。このような第一キー７０としては、読取部２２の読取動作を実行させるための読取実行キー（トリガキー）が好適に利用できる。また、十字キーなど、操作頻度の高い他のキーをキー配置部４０に配置してもよい。
（第一キー配置部７１）
【００７５】
第一キー７０は第一キー配置部７１に配置される。第一キー配置部７１は、ディスプレイ部３０の下方中央とする。これによって、ユーザが光学式情報読取装置を手のひらで包むように把持した状態で、親指で第一キー７０を押下し易くでき、バランスよく第一キー７０を配置できる。
【００７６】
以上の例では、図２６や図２７の分解斜視図に示すように、第一フレーム２４を筐体１０の長手方向全体に渡って延長し、その中央近傍に台座部７２を固定した例を説明した。ただ台座部７２は、この構成に限らず、フレームを２分割した構成においても適用できる。例えば、図３３の模式断面図に示す例では、筐体１０Ｃの長手方向においてフレームを２分割し、ディスプレイ部３０Ｃを保持するディスプレイ用フレーム６６Ｃと、キー配置部４０Ｃを保持するキー用フレーム６７Ｃを設けている。このような構成において、ディスプレイ用フレーム６６Ｃの下端側に台座部７２Ｃを設けても、上記と同様、この台座部７２Ｃ上に第一キー７０Ｃを配置することで、第一キー７０Ｃとディスプレイ駆動回路３２Ｃとを離間させて、回路に応力が加わる状態を回避できる。あるいは逆に、図３４の模式断面図に示すように、キー配置部４０Ｄを保持するキー用フレーム６７Ｄの上端側に台座部７２Ｄを設ける構成としても、同様に第一キー７０Ｄの操作によって生じる応力から、ディスプレイ用フレーム６６Ｄに保持されたディスプレイ３０Ｄの駆動回路３２Ｄを保護できる。この構成において、キー用フレーム６７Ｄは、キートップ４２とバッテリ部５０の間に介在するフレームであると言える。このように、フレームを複数に分割する構成において、分割されたフレームに台座部を設けてこの上に第一キーを配置することでも、上記と同様のディスプレイ駆動回路を保護する効果が得られる。要するに、ディスプレイ部３０又はキー配置部４０のうち少なくとも一方（又は両方）を保持するためのフレームに台座部を設け、この上に第一キーを配置することで、ディスプレイ駆動回路を保護することができる。
（キー配置部４０）
【００７７】
また一方で、ディスプレイ部３０の下方には、図３の平面図に示すように、各種の操作を行うための複数の操作キー４６が配置されたキー配置部４０が設けられる。キー配置部４０には、図７の詳細な分解斜視図に示すように、上ケース１１の裏面側から第一フレーム２４のキー配置プレート２８に向かって順に、キートップ４２と、スイッチシート４３と、キー回路基板４４とが配置されている。また上ケース１１の把持部分ＨＡには、各操作キー４６を表出させるためのキー挿入孔１８が開口されている。キー配置部４０に形成されるキー挿入孔１８は、複数のキーのうち少なくとも二以上のキーを挿入可能な大きさとしている。またキーは、筐体１０の内側から外側に向けて挿入されている。
【００７８】
図３５に、キートップ４２の平面図を示す。キートップ４２は、板状の弾性シート４５の上に複数の操作キー４６を設けている。各操作キー４６は、キー挿入孔１８を通じて外部に表出される。スイッチシート４３は、キートップ４２の裏面側に配置され、各操作キー４６と対応する位置にメンブレンスイッチを各々設けている。そして各操作キー４６の押下に反応してメンブレンスイッチをＯＮ／ＯＦＦさせ、キー操作と対応する電気信号を発生させる。さらにキー回路基板４４は、スイッチシート４３で発生された電気信号を受けて、操作信号を主回路基板３６側に伝達する。このためキー回路基板４４は、ＦＰＣやＦＦＣを介して主回路基板３６と電気的に接続されている。
（操作キー４６の位置決め機構）
【００７９】
操作キー４６の位置決めは厳格に行う必要がある。すなわち、任意の操作キー４６を押下した際に、この操作キー４６と対応するキースイッチがＯＮされて、キー回路基板４４に伝達されるよう、言い換えると隣接する他の操作キーが誤作動しないよう、またキーの押下感が良好になるよう、筐体１０表面に表出する操作キー４６と、筐体１０内部に配置されたキー回路基板４４との対応が正しくとれるように、正確な位置決めが求められる。このため従来は、組立時において上ケース側にキートップ４２、スイッチシート４３、キー回路基板４４を固定するように設計されていた。しかしながらこの方法では、上ケースと主回路基板が取り付けられるシャーシ集合体で回路が分断されてしまうため、電子回路の配線作業等が面倒になるという問題があった。組み立て作業の効率を考えれば、シャーシ集合体２０側で電子回路を纏めて組み上げられるように構成することが望ましいが、この場合は、シャーシ集合体２０側で組み上げられたキートップの各操作キーが、上ケースのキー挿入穴に正しく挿入されるようにすることが、製造時の公差や組み立ての精度などの観点から困難となる。
【００８０】
そこで本実施例においては、操作キー４６を位置決めするための位置決め機構を、キー配置プレート２８に設けている。図２７の分解斜視図及びこれを背面側から見た図３６の分解斜視図に示す例では、キー配置プレート２８に、操作キー４６の位置決め機構として位置決めボス２９を複数設けている。またキー回路基板４４、スイッチシート４３、キートップ４２にはそれぞれ、位置決めボス２９と対応する位置に、複数のボス穴４９を開口している。各部材に設けられたボス穴４９に位置決めボス２９を挿入した状態で、キー回路基板４４、スイッチシート４３、キートップ４２はそれぞれ位置決めされた状態となるように、位置決めボス２９とボス穴４９が設計される。この構成によって、共通の位置決めボス２９を用いて各部材を簡単に位置決めできる。図２６の分解斜視図に示す例では、位置決めボス２９はキー配置部４０の隅部近傍の４箇所に設けられる。このように複数箇所で位置決めすることで、位置決めの精度を向上できる。
【００８１】
このような操作キー４６の位置決め機構を備えることで、組立時には、キー配置プレート２８上に操作キー配置部４０の内部構造を位置決めされた状態で組み立てる。すなわち、下ケース１２側にシャーシ集合体２０として、第一フレーム２４のキー配置プレート２８上に、キー回路基板４４と、スイッチシート４３とを、位置決めボス２９で位置決めした状態にて組み上げて配線作業等を行う。一方、キートップ４２は上ケース１１側に予め装着される。そして図６に示すように、上ケース１１と下ケース１２とを固定する。この際、キートップ４２が弾性シート４５で構成されているため、ボス穴４９は位置決めボス２９をガイドとして、ボス穴４９に位置決めボス２９が挿入されるよう、すなわち本来の位置となるように、変形または位置を微調整される。これによって、従来は困難であった操作キー配置部４０を分離して組み立てつつ、正確な位置決めを実現できる。
（操作キー４６）
【００８２】
操作キー４６には、図３の平面図などに示すように、テンキーの他、クリアキーやエンターキー、電源キーやファンクションキーなどが含まれる。この内、テンキーについては、密集して配置することにより、キー間の指の移動距離が少なくなって操作性が向上する。その反面、ユーザの操作感を高めるために、各キーのストロークや押し感（クリック感）を確保する必要があるところ、キー同士を密着して配置すると、所望の一のキーを押下させた際に、隣接する他のキーもこれにつれて動くため、所望のキーの押し感が悪くなる。そこで、各キーの角部を面取りすることで、隣接するキー同士が接触しないキー隅部４８を形成している。この結果、図３７の模式平面図に示すように、隣接するキー同士の間で、接触するキー直線部４７と、接触しないキー隅部４８とが設けられる結果、キー同士の接触面積が低減される。この結果、接触面積の低減によって隣接するキー間の独立した移動がし易くなり、キーの押し感が改善される。
（挿入孔突出部１９）
【００８３】
加えて、上ケース１１のキー挿入孔１８の周囲には、挿入孔突出部１９を形成している。挿入孔突出部１９は、操作キー４６の角部に形成されたキー隅部４８に当接するよう形成される。この結果、各操作キー４６はキー隅部４８を挿入孔突出部１９で保持されて安定し、キー押下時のぐらつきを抑制して安定的に操作でき、押し感の改善も得られる。
【００８４】
操作キー４６は、多角形状とすることが好ましい。図３等の例では、テンキーの隅部を直線的に面取りして８角形状（上下の行に位置するテンキーは６角形状）とし、また挿入孔突出部１９は、三角形状としている。このようにすることで、操作キーの表面面積の減少を防ぐことができる。すなわち通常であれば、操作キーのぐらつきを防止するために、操作キーと操作キーの間に格子を入れる。しかしながらこの構成では、格子を設けた分だけ、操作キー自体に割り当てられる面積が相対的に少なくなる。これに対して上記構成によれば、ぐらつき防止のための形状を最小に抑制できるので、その分だけ操作キーの表面面積の減少を防ぐことができるのである。
【００８５】
ただ、この形状に限らず、例えば図３８に示すように、操作キー４６Ｂの隅部を円弧状に面取りしたキー隅部４８Ｂを形成してもよい。さらに図３９に示すように、操作キー４６Ｃの平面形状を楕円状又は曲面で構成することもできる。このような場合においても、隣接する操作キー同士が面する部位を、本明細書においては便宜上キー直線部４７Ｃと呼ぶ。また図３５の平面図に示すキートップ４２のように、隣接する操作キー４６同士の界面においてキー直線部４７が互いに密着されている必要は必ずしもなく、隙間が形成されている態様も含む。僅かな隙間があっても、キー押下時に摩擦によって周囲のキーも追従してしまう結果、上述したクリック感やストロークが乏しくなる問題が生じるからである。
【００８６】
さらに挿入孔突出部１９も、キー隅部４８の形状に応じて形成される。あるいは図４０に示すように、挿入孔突出部１９Ｄを、キー隅部４８の形状と一致させない形態とすることもできる。いずれの場合も、挿入孔突出部１９は、キー隅部４８と当接させることで、操作キー４６の動作を安定させることができる。
【００８７】
また操作キー４６の表面は、曲面状に形成することが好ましい。これにより、操作キー４６表面の曲面と、操作キー４６同士の間の谷間との形状の際を、操作キー４６が小さくてもユーザが指で区別しやすくなり、操作感を向上できる。特に操作キー４６表面の曲面形状は、キー同士の接触方向と直交する方向に軸を有する略円筒形状とすることが好ましい。このように、操作キー４６の表面を曲面状に形成することによって、操作キー４６同士をなるべく狭い領域に密集させ、配置密度が高まった場合であっても押し感が損なわれるのを防止することができ、ひいては操作感を向上できる。
【００８８】
以上の例では、図４１（ａ）の平面図に示すように、縦方向に隣接する操作キー４６について、キー隅部４８を設ける構成を説明した。いいかえると、列方向に密接して並ぶ操作キー４６群同士の間に桟１７が介在された配置である。ただ本発明はこの構成に限らず、図４１（ｂ）に示すように、横方向に隣接する操作キー４６Ｅ同士の間において、キー隅部４８Ｅを設けて接触面積を低減することもできる。この場合は、行方向に密接して並べられた操作キー４６Ｅ群同士の間に桟１７Ｅが介在された配置となる。あるいは図４１（ｃ）に示すように、縦横両方において、隣接する操作キー４６Ｆ間でキー隅部４８Ｆを設けることもできる。この場合は、明確な桟が存在しない。
【００８９】
また以上の例では、操作キー４６の平面形状を横長の矩形状とした場合を説明した。すなわち、操作キー４６の長手方向とほぼ直交する方向に隣接する操作キー４６との間で、キー隅部４８を形成している。特に長辺側で隣接した操作キー４６同士は、そのままでは接触面積が大きいため、一方のキーの移動につれて他方のキーが追従する作用が大きくなる。よってこの面においてキー隅部４８を形成することで、キー同士の独立した動きを担保し押し感を改善する効果は特に大きい。ただ、操作キーを縦長の形状とした場合でも、押し感の改善効果が得られることはいうまでもない。
【産業上の利用可能性】
【００９０】
本発明の光学式情報読取装置は、ハンディスキャナやハンディターミナル、業務用ＰＤＡ、ＰＯＳレジ等に好適に利用できる。
【符号の説明】
【００９１】
１００、２００、３００…光学式情報読取装置
１０、１０Ｂ、１０Ｃ、１０Ｄ、１０Ｅ…筐体
１１…上ケース
１２、１２Ｘ…下ケース
１３、１３Ｂ…バッテリ収納部
１４…凹部
１５…突出部分
１６…第二突出部分
１７、１７Ｅ…桟
１８…キー挿入孔
１９、１９Ｄ…挿入孔突出部
２０…シャーシ集合体
２２…読取部
２４…第一フレーム；２４Ｅ…フレーム
２５…枠体
２６…底面板
２７…重なり領域における底面板
２８…キー配置プレート
２９…位置決めボス
３０、３０Ｃ、３０Ｄ…ディスプレイ部
３２、３２Ｃ、３２Ｄ…ディスプレイ駆動回路
３４…タッチパネル
３６…主回路基板
４０、４０Ｃ、４０Ｄ…キー配置部
４２…キートップ
４３…スイッチシート
４４…キー回路基板
４５…弾性シート
４６、４６Ｂ、４６Ｃ、４６Ｅ、４６Ｆ…操作キー
４７、４７Ｃ…キー直線部
４８、４８Ｂ、４８Ｅ、４８Ｆ…キー隅部
４９…ボス穴
５０、５０Ｂ…バッテリ部
５１…円筒形二次電池セル
５２…バッテリケース
５４…電池側回路基板
５５…段差部
５６…バックアップ用電池
５７…パッキン
５８、５８Ａ、５８Ｂ、５８Ｃ、５８Ｘ…バッテリ蓋
５９…ロックボタン；５９ｂ…傾斜面
６０、６０Ｂ、６０Ｃ、６０Ｘ…ベルト
６２…第二フレーム
６３…読取モジュール収納部
６４…板材
６５…アーム部
６６Ｃ、６６Ｄ…ディスプレイ用フレーム
６７Ｃ、６７Ｄ…キー用フレーム
７０、７０Ｃ、７０Ｄ…第一キー
７１…第一キー配置部
７２、７２Ｂ、７２Ｃ、７２Ｄ…台座部
７３…支承部分
７４…空間
７５、７５Ｂ…連通口
ＤＡ…表示部分
ＨＡ…把持部分
ＨＴ…ハンディターミナル
ＲＰ…曲面突出部分
ＧＰ１、ＧＰ２…隙間
ＯＬ…重なり領域
【図１】
0005993501.tif 000002
【図２】
0005993501.tif 000003
【図３】
0005993501.tif 000004
【図４】
0005993501.tif 000005
【図５】
0005993501.tif 000006
【図６】
0005993501.tif 000007
【図７】
0005993501.tif 000008
【図８】
0005993501.tif 000009
【図９】
0005993501.tif 000010
【図１０】
0005993501.tif 000011
【図１１】
0005993501.tif 000012
【図１２】
0005993501.tif 000013
【図１３】
0005993501.tif 000014
【図１４】
0005993501.tif 000015
【図１５】
0005993501.tif 000016
【図１６】
0005993501.tif 000017
【図１７】
0005993501.tif 000018
【図１８】
0005993501.tif 000019
【図１９】
0005993501.tif 000020
【図２０】
0005993501.tif 000021
【図２１】
0005993501.tif 000022
【図２２】
0005993501.tif 000023
【図２３】
0005993501.tif 000024
【図２４】
0005993501.tif 000025
【図２５】
0005993501.tif 000026
【図２６】
0005993501.tif 000027
【図２７】
0005993501.tif 000028
【図２８】
0005993501.tif 000029
【図２９】
0005993501.tif 000030
【図３０】
0005993501.tif 000031
【図３１】
0005993501.tif 000032
【図３２】
0005993501.tif 000033
【図３３】
0005993501.tif 000034
【図３４】
0005993501.tif 000035
【図３５】
0005993501.tif 000036
【図３６】
0005993501.tif 000037
【図３７】
0005993501.tif 000038
【図３８】
0005993501.tif 000039
【図３９】
0005993501.tif 000040
【図４０】
0005993501.tif 000041
【図４１】
0005993501.tif 000042
【図４２】
0005993501.tif 000043